【事件の表示】
　特許第３０２２９９３号「粘着剤層を有する偏光板」の請求項１ないし３に係る特許に対する特許異議の申立てについて、次のとおり決定する。
【結　論】
　特許第３０２２９９３号の請求項１ないし３に係る特許を取り消す。
【理　由】
【1】手続の経緯
　特許第302293号の請求項1〜3に係る発明は、平成2年12月25日に出願され、平成10年2月2日に、平成12年1月14日にその設定登録がなされ、その後、申立人 株式会社巴川製紙所、日東電工株式会社および金子しのよりそれぞれ特許異議申立がなされ、取消理由通知がなされ、その指定期間内である平成13年4月6日に訂正請求がなされた後、訂正拒絶理由に対して平成13年8月24日に意見書が提出されたものである。
　
【2】訂正の適否についての判断
《2-1》訂正事項
　特許権者が訂正請求書において求めている訂正は、以下のとおりである。
訂正事項a:
　特許請求の範囲請求項1の「偏光フイルムの両面が保護層で被覆されてなる偏光板の保護層の少なくとも一方に、エポキシ基をもつシラン化合物含有アクリル系樹脂粘着剤層を設けることを特徴とする粘着剤層を有する偏光板」を、「偏光フイルムの両面が保護層で被覆されてなる偏光板の保護層の少なくとも一方に、カルボキシル基及びヒドロキシル基を含有するアクリル系樹脂にエポキシ基をもつシラン化合物を配合してなるアクリル系樹脂粘着剤層を設け、かつ単体透過率が40.6%以上、偏光度が98.8%以上であることを特徴とする粘着剤層を有する偏光板」に訂正する。
　
訂正事項b:
　特許公報第2頁左欄第7行の「エポキシ基をもつシラン化合物含有アクリル系樹脂」を「カルボキシル基及びヒドロキシル基を含有するアクリル系樹脂にエポキシ基をもつシラン化合物を配合してなるアクリル系樹脂粘着剤」と訂正する。
　
訂正事項c:
　特許公報第2頁左欄第11〜12行の「エポキシ基をもつシラン化合物含有アクリル系樹脂粘着剤層」を「カルボキシル基及びヒドロキシル基を含有するアクリル系樹脂にエポキシ基をもつシラン化合物を配合してなるアクリル系樹脂粘着剤層」と訂正する。
　
訂正事項d:
　特許公報第2頁左欄第12行の「を設けることを」を「を設け、かつ単体透過率が40.6%以上、偏光度が98.8%以上であることを」と訂正する。
　
訂正事項e:
　特許公報第2頁左欄第16〜17行の「更に必要に応じ少量の官能基含有モノマー成分」を「更にカルボキシル基含有モノマー成分及びヒドロキシル基含有モノマー成分」と訂正する。
　
訂正事項f:
　特許公報第2頁左欄第33行の「前記以外に官能基含有モノマー成分」を「カルボキシル基含有モノマー成分」と訂正する。
　
訂正事項g:
　特許公報第2頁左欄第37行の「無水物等のカルボキシル基含有モノマーや」を「無水物等、ヒドロキシル基含有モノマー成分としては、」と訂正する。
　
訂正事項h:
　特許公報第2頁左欄第42行の「等のヒドロキシル基含有モノマー等の他に」を「等が挙げられる。その他の官能基含有モノマー成分として」と訂正する。
　
訂正事項i:
　特許公報第2頁左欄第46〜47行の「かかる官能基含有モノマー成分のうちで、特にカルボキシル基含有モノマーの使用が好ましい。」を削除する。
　
訂正事項j:
　特許公報第2頁右欄第3行の「更に必要に応じて官能基含有モノマー」を「官能基含有モノマー」と訂正する。
　
訂正事項k:
　特許公報第2頁右欄第25行の「アクリル系樹脂」を「カルボキシル基及びヒドロキシル基を含有するアクリル系樹脂」と訂正する。
　
訂正事項l:
　特許公報第2頁右欄第30行の「アクリル系樹脂粘着剤」を「カルボキシル基及びヒドロキシル基を含有するアクリル系樹脂にエポキシ基をもつシラン化合物を配合してなるアクリル系樹脂粘着剤」と訂正する。
　
訂正事項m:
　特許第4頁右欄下から第3〜2行の 「エポキシ基をもつシラン化合物含有アクリル系樹脂粘着剤層」を「カルボキシル基及びヒドロキシル基を含有するアクリル系樹脂にエポキシ基をもつシラン化合物を配合してなるアクリル系樹脂粘着剤層」と訂正する。
　
《2-2》新規事項の有無
　上記訂正事項a及び訂正事項dは、「単体透過率が40.6%以上、偏光度が98.8%以上である」ことを規定する訂正である。
　しかし、本件の特許明細書の発明の詳細な説明には、「単体透過率が40.6%以上、偏光度が98.8%以上」のものであることについて何ら記載されておらず、段落【0028】に実施例1〜4として、アクリル系樹脂(A)〜(D)(表1)をそれぞれ使用して測定した物性値が表2に示されている。該表2において、実施例1〜4の各実施例の単体透過率と偏光度とが、それぞれ、40.6%と99.9%、43.1%と99.7%、44.2%と98.8%、および43.7%と99.6%であることが示されている。
　そして、前記表2に、(製造直後の)単体透過率と偏光度が、単体透過率が40.6%以上の範囲に含まれる値と偏光度が98.8%以上の範囲に含まれる値との組み合わせ4点の開示はあるが、この開示は「単体透過率が40.6%以上、偏光度が98.8%以上」の範囲を直接的かつ一義的に意味するものとは認められない。
　したがって、上記訂正は、願書に添付した明細書又は図面に記載した事項の範囲内においてしたものとは認められない訂正事項a及び訂正事項dを含むものである。
　
《2-4》むすび
　よって、上記訂正は、特許法第120条の4第2項及び第3項で規定する訂正について、平成6年12月14日法律第116号附則第6条第1項の規定によりなお従前の例によるとされる改正前の特許法第126条第1項ただし書きで規定する要件に適合しないので、当該訂正は認められない。
　
【3】特許異議の申立てについての判断
《3-1》申立ての理由の概要
　申立人 株式会社巴川製紙所、日東電工株式会社および金子しのは、それぞれ、本件出願前に公知である特開昭57-195208号公報(以下、「刊行物1」という。)を提示し、本件の請求項1〜請求項3に記載された発明はいずれも、刊行物1に記載された発明であるか、刊行物1に記載された発明に基づいて当業者が容易に発明できたものであるから第29条第1項、または同条第2項の規定により特許を受けることができないものである旨主張している。
　
《3-2》本件の発明
　本件の請求項1〜3に係る発明は、特許明細書の特許請求の範囲の請求項1〜4に記載された以下のとおりのものである。
「【請求項1】 偏光フイルムの両面が保護層で被覆されてなる偏光板の保護層の少なくとも一方に、エポキシ基をもつシラン化合物含有アクリル系樹脂粘着剤層を設けることを特徴とする粘着剤層を有する偏光板【請求項2】 アクリル系粘着剤中に硬化剤が配合されてなる請求項1記載の偏光板。
【請求項3】 偏光フイルムがポリビニルアルコールフイルムである請求項1記載の偏光板。」
　(以下、請求項順に「本件発明1」〜「本件発明3」という。)
　
《3-3》刊行物に記載された発明
　本件出願前に公知である刊行物1の記載は、以下のとおりである。
《3-3-1》
　特許請求の範囲には、「偏光子の少なくとも一方の面に光学的透明性を有する材料からなる保護層を設けてなる偏光板の表面に、アクリル系感圧性接着剤組成物に官能基を有する有機ケイ素単量体を配合してなる混合物からなる層が設けられていることを特徴とする、高耐久型の感圧接着型偏光板。」の発明が開示されている。
　
　第2頁左上欄13〜19行には、「この発明者たちはこのように繰り返し実験を行った結果、驚くべきことに、アクリル系感圧性接着剤組成物に官能基を有する有機ケイ素単量体を配合した混合物を、液晶表示セルと偏光板との接着に用いると、剥がれ及び発泡の起生が実質的に阻止できることを知見し、この発明に至ったものである。」と記載されている。
　
　「偏光子」について、第2頁右上欄15行〜左下欄5行には、「この発明を実施するに当って使用される偏光板としては、ポリビニルアルコール系フィルム、……(中路)......の如き親水性高分子フィルムに沃素及び/又は二色性染料を吸着配合せしめた沃素系又は染料系偏光子、或いは……(中略)...などの偏光子の片面又は両面に、光学的透明性を有する材料からなる保護層を設けてなるものが挙げられる。」と記載されている。
　
　また、保護層について、第2頁左下欄12〜19行、「…保護層とされるフィルムとしては、二酢酸セルロース、三酢酸セルロースの如きセルロース系フィルムが代表的であるが、ポリアクリル系樹脂フィルム、ポリカーボネート系フィルム、ポリエステル系フィルム、ポリエーテルスルホン系フィルム、ポリスルホン系フィルム、ボリイミド系フィルムなども使用される。」と記載されている。
　
　「アクリル系感圧性接着剤組成物」について、2頁右下欄2〜6行には、「このように形成してなる偏光板の片面又は両面には、アクリル系感圧性接着剤組成物に官能基を有する有機ケイ素単量体を配合してなる混合物からなる層(好ましくは約10〜300μmの厚みである。)が設けられ、」と記載されている。さらに、第2頁右下欄第11〜16行目に、「この発明の実施に当って用いられるアクリル系感圧性接着剤組成物としては、(メタ)アクリル酸エステル(アルキル基のC数が2〜12個のものが好ましい)と該エステルと共重合しうる極性単量体との共重合物を有機試薬で架橋重合してなるものが好適である。」と記載されている。そして、第2頁右下欄17行〜第3頁左上欄第16には、アクリル系感圧接着剤層を形成する樹脂の例として、「(メタ)アクリル酸エステルとしては、(メタ)アクリル酸エチル、(メタ)アクリル酸イソプロピル、(メタ)アクリル酸 n-ブチル、(メタ)アクリル酸イソブチル、(メタ)アクリル酸ペンチル、(メタ)アクリル酸ベンジル、(メタ)アクリル酸ラウリル、(メタ)アクリル酸2‐エチルヘキシルなどが挙げられ、極性単量体としては、力ルボキシル基を持つ(メタ)アクリル酸、クロトン酸、マレイン酸、イタコン酸など、ヒドロキシル基を持つアクリル酸‐2‐ヒドロキシエチルエステル、アクリル酸‐2‐ヒドロキシプロピルエステル、2‐ヒドロキシビニルエーテルなど、アミノ基を持つ N・N‐ジメチルアミノエチルアクリレート、N-ターシャリーブチルアミノエチルアクリレートなど、アミド基を持つアクリルアミド、メタクリルアミドなど、メチロール基を持つN‐メチロールアクリルアミド、N-メチロールメタクリルアミドなど、エポキシ基を持つグリシジルアクリレート、グリシジルメタクリレートなどが挙げられ、」と記載されている。
　
　「官能基を有する有機ケイ素単量体」について、第3頁右上欄14行〜左下欄6行に、「官能基を有する有機ケイ素単量体は、一分子中に官能基としてビニル基、アリル基、アクリルオキシ基の如き不飽和基又はアミノ基、グリシジル基、環状グリシジル基を有し、他に水素原子、ハロゲン原子、ヒドロキシ基、メトキシ基、エトキシ基の如きアルコキシ基などを有する、その分子中に2個以上の異なる官能基を有するものであって、例えば、ビニルトリクロロシラン、ジビニルジクロロシラシ、ビニルジクロロシラン、γ-グリシドキシプロピルトリメトキシシラン、β‐(3,4‐エポキシシクロヘキシ)‐エチルトリメトキシシラン、γ‐メタクリロキシプロピルトリメトキシシランなどを例示することができる。」と記載され、また、同第4頁左上欄第10〜12行目には、「感圧性接着剤組成物の固形分100部に対してγ‐メタクリロキシプロビルトリメトキシシランを0.2部添加し、」と記載されている。
　
　第3頁左上欄16行〜右上欄6行に、「有機試薬としては、ポリイソシアネート化合物としての脂肪族系ジイソシアネート芳香族系ジ又はトリイソシアネートなど、メラミン化合物としてのブチルエーテル化スチロールメラミン、トリメチロールメラミンなど、グリコール化合物としてのポリエチレングリコール,トリメチロールプロパンなど、ジアミン化合物としてのへキサメチレンジアミン、ジエチレントリアミンなど、その他フェノール樹脂系化合物、エボキシ樹脂系化合物、尿素樹脂系化合物、ポリアルデヒド化合物などが挙げられる。」と記載されている。
　
　偏光板について、第2頁右上欄15〜16行には、「この発明を実施するに当って使用される偏光板としては、ポリビニルアルコール系フィルム、……(後略)...。」と記載されている。
　
　また、奏される効果について、第4頁左下欄第1表に耐熱性および耐湿熱性が偏光板の耐久限界として記載されており、実施例1では、耐熱性に関し、耐久限界が、「80℃×1000hrs」、耐湿熱性に関し、耐久限界が「60℃×95%R・H×1000hrs」であることが示されている。
　
　以上の記載から、刊行物1には、「ポリビニルアルコール系フィルムからなる偏光子の片面又は両面に保護層を設けてなる偏光板の表面に、(メタ)アクリル酸エステル(アルキル基のC数が2〜12個のものが好ましい)で例示されるアクリル系感圧性接着剤組成物に、γ‐グリシドキシプロピルトリメトキシシランやβ‐(3,4-エポキシシクロヘキサン)‐エチルトリメトキシシランで例示される官能基を有する有機ケイ素単量体を配合してなる混合物からなる層が設けられ、該アクリル系感圧性接着剤組成物はポリイソシアネート化合物としての脂肪族系ジイソシアネート芳香族系ジ又はトリイソシアネートなどの有機試薬で架橋重合してなる、高耐久型の感圧接着型偏光板。」なる発明が記載されている。以下、これを「引用発明」という。
　
《3-4》対比・判断
《3-4-1》本件発明1について
　本件発明1と引用発明とを対比すると、引用発明における「偏光子」又は「偏光フィルム」は、本件発明1の「偏光フイルム」に相当する。また、引用発明におけ「γ‐グリシドキシプロピルトリメトキシシランやβ‐(3,4-エポキシシクロヘキサン)‐エチルトリメトキシシランで例示される官能基」はエポキシ基を含むケイ素化合物であるから、引用発明の「(メタ)アクリル酸エステル(アルキル基のC数が2〜12個のものが好ましい)で例示されるアクリル系感圧性接着剤組成物に、γ‐グリシドキシプロビルトリメトキシシランやβ‐(3,4-エポキシシクロヘキサン)‐エチルトリメトキシシランで例示される官能基を有する有機ケイ素単量体を配合してなる混合物からなる層」は、本件発明1の「エポキシ基をもつシラン化合物含有アクリル系樹脂粘着剤層」に相当する。
　したがって、本件発明1と引用発明とは、「偏光フイルムの両面が保護層で被覆されてなる偏光板の保護層の少なくとも一方に、エポキシ基をもつシラン化合物含有アクリル系樹脂粘着剤層を設けることを特徴とする粘着剤層を有する偏光板」の点で一致し、実質的な相違点は存在しない。
　
《3-4-2》本件発明2について
　本件発明2は、本件発明1の構成である粘着材層を「アクリル系粘着剤中に硬化剤が配合されてなる」と規定したものである。しかし、引用発明における、「ポリイソシアネート化合物としての脂肪族系ジイソシアネート芳香族系ジ又はトリイソシアネートなどの有機試薬」は、本件発明2における「硬化剤」の具体的実施例の「イソシアネート系化合物」であり、化学的作用からみても、両者の間に実質的な相違は認められない。
　したがって、本件発明2と引用発明とは、「偏光フイルムの両面が保護層で被覆されてなる偏光板の保護層の少なくとも一方に、アクリル系粘着剤中に硬化剤が配合されてなる、エポキシ基をもつシラン化合物含有アクリル系樹脂粘着剤層を設けることを特徴とする粘着剤層を有する偏光板」の点で一致し、実質的な相違点は存在しない。
　
《3-4-3》本件発明3について
　本件発明3は、本件発明1の構成である偏光フイルムを「ポリビニルアルコールフイルム」と規定したものである。しかし、この組成と、引用発明における、偏光フィルムの組成である「ポリビニルアルコール系フィルム」なる組成との間に実質的な相違は認められない。
　したがって、本件発明3と引用発明とは、「ポリビニルアルコールフイルムである偏光フイルムの両面が保護層で被覆されてなる偏光板の保護層の少なくとも一方に、エポキシ基をもつシラン化合物含有アクリル系樹脂粘着剤層を設けることを特徴とする粘着剤層を有する偏光板」の点で一致し、実質的な相違点は存在しない。
　
《3-5》むすび
　以上のとおり、本件の請求項1〜3に係る発明は、刊行物1に記載された発明であるから、特許法第29条第1項第3号に該当し、同条第1項の規定により特許を受けることができないものに対して特許されたものである。
　従って、本件の請求項1〜3に係る発明の特許は特許法等の一部を改正する法律(平成6年法律第116号)附則第14条の規定に基づく、特許法等の一部を改正する法律の施行に伴う経過措置を定める政令(平成7年政令第205号)第4条第2項の規定により取り消されるべきものである。
　よって、結論のとおり決定する。
【異議決定日】
平成１３年１０月２９日（２００１．１０．２９）